(57)【特許請求の範囲】
【請求項１】
上面に接続端子が配置された円筒状の電解コンデンサ本体と、
前記電解コンデンサ本体の下面に当接して該電解コンデンサ本体を搭載するベースプレートと、
両端部が前記電解コンデンサ本体の外周の予め定められた位置で対向し、かつ、前記電解コンデンサ本体の径方向に張り出して、前記電解コンデンサ本体に巻き付けられる帯状の取付金具と、
前記ベースプレートとは予め定められた間隔を空けて配置され、前記電解コンデンサ本体が下面側から挿入されるコンデンサ挿入孔と、該コンデンサ挿入孔の縁に前記取付金具の両端部を挿入可能に形成された切り欠きとを有し、前記取付金具が固定されるコンデンサ取付部材と、
を備えることを特徴とする電解コンデンサの取付構造。
【請求項２】
前記取付金具は、前記両端部が互いに近づくように挟まれて前記電解コンデンサ本体の外周面に締め付けられることを特徴とする請求項１に記載の電解コンデンサの取付構造。
【発明の詳細な説明】
【技術分野】
【０００１】
本発明は、電解コンデンサの取付構造に関し、特に、電解コンデンサを極性の誤り無く取り付けるための取付構造に関する。
【背景技術】
【０００２】
従来の電解コンデンサは、電解コンデンサ本体の上面に陽極の接続端子と陰極の接続端子とを有している（特許文献１参照）。電解コンデンサ本体の外周部にはコンデンサ取付金具が装着される。コンデンサ取付金具は、電解コンデンサ本体に巻き付く帯状部と、帯状部の両端に設けられたべろ部と、帯状部の上側又は下側に設けた複数の足部とで構成される。べろ部にはネジ及びナットが取り付けられて、帯状部が電解コンデンサ本体の外周面に締め付けられるようになっている。
【０００３】
上記の構成において、電解コンデンサ本体のコンデンサ取付部材への取り付けは、帯状部を電解コンデンサ本体に巻き付けるとともに、両方のべろ部を貫通させたネジをナットに螺合させて帯状部を電解コンデンサ本体の外周部に締め付け、かつネジなどを用いて足部をコンデンサ取付部材に締め付けることによって行う。そして、コンデンサ取付部材に固定された電解コンデンサの接続端子は、他の電解コンデンサの接続端子やプリント基板等に形成された回路に接続される。
【先行技術文献】
【特許文献】
【０００４】
【特許文献１】実開昭６２−４１１８号公報
【発明の概要】
【発明が解決しようとする課題】
【０００５】
電解コンデンサには、電極の極性が存在し、誤取付（極性が逆の状態での取付）による不良発生が大きな問題となる。誤取付により極性が逆の状態で回路等に接続した場合には、コンデンサの内部圧力が上昇し、安全弁が作動してコンデンサとしての機能停止に至る。
【０００６】
上記従来の構成においては、電解コンデンサとコンデンサ取付金具との相対的な位置関係を円周方向に任意に設定することが可能になるため、足部に対して接続端子の位置を一意に保つことができない。このため、極性の誤取付が発生する可能性がある。
【０００７】
本発明は、上記に鑑みてなされたものであって、極性が逆の状態で電解コンデンサを取り付けることを防止した電解コンデンサの取付構造を得ることを目的とする。
【課題を解決するための手段】
【０００８】
上述した課題を解決し、目的を達成するために、本発明は、上面に接続端子が配置された円筒状の電解コンデンサ本体と、電解コンデンサ本体の下面に当接して電解コンデンサ本体を搭載するベースプレートと、両端部が電解コンデンサ本体の外周の予め定められた位置で対向し、かつ、電解コンデンサ本体の径方向に張り出して、電解コンデンサ本体に巻き付けられる帯状の取付金具と、ベースプレートとは予め定められた間隔を空けて配置され、電解コンデンサ本体が下面側から挿入されるコンデンサ挿入孔と、コンデンサ挿入孔の縁に取付金具の両端部を挿入可能に形成された切り欠きとを有し、取付金具が固定されるコンデンサ取付部材と、を備えることを特徴とする。
【発明の効果】
【０００９】
本発明によれば、コンデンサ取付金具の端部を利用して極性誤取付防止効果が得られるためコスト増加には繋がらず、取付作業段階で逆取付でないことを確認可能であるという効果を奏する。
【図面の簡単な説明】
【００１０】
【図１】図１は、本発明の実施の形態にかかる電解コンデンサの取付構造の構成を示す斜視図である。
【図２】図２は、実施の形態にかかる電解コンデンサの取付構造の構成を示す上面図である。
【図３】図３は、実施の形態にかかる電解コンデンサの取付構造の構成を示す側面図である。
【発明を実施するための形態】
【００１１】
以下に、本発明にかかる電解コンデンサの取付構造の実施の形態を図面に基づいて詳細に説明する。なお、この実施の形態によりこの発明が限定されるものではない。
【００１２】
実施の形態．
図１は、本発明の実施の形態にかかる電解コンデンサの取付構造の構成を示す斜視図である。図２は、実施の形態にかかる電解コンデンサの取付構造の構成を示す上面図である。図３は、実施の形態にかかる電解コンデンサの取付構造の構成を示す側面図である。電解コンデンサの取付構造は、電解コンデンサ本体１、コンデンサ取付金具２、コンデンサ取付部材８及びベースプレート１４を備える。
【００１３】
円筒状の電解コンデンサ本体１は上面に陽極の接続端子４と陰極の接続端子５とを有している。接続端子４、５は、他の電解コンデンサとの直列又は並列接続や、プリント基板への実装に用いられる。電解コンデンサ本体１の外周部にはコンデンサ取付金具２が装着される。電解コンデンサ本体１は、下面がベースプレート１４に当接することによってベースプレート１４に搭載される。コンデンサ取付金具２は、電解コンデンサ本体１に巻き付く帯状部１０と、帯状部１０の両端に設けられたべろ部３と、帯状部１０の上側に設けた複数の足部１１とで構成される。なお、足部１１は帯状部１０の下側に設けることも可能である。べろ部３には貫通孔３ａが形成されており、べろ部３同士が対向するように折り曲げられている。貫通孔３ａの双方にはネジ１２が貫通しており、ネジ１２にナット１３がねじ止めされて、帯状部１０が電解コンデンサ本体１の外周面に締め付けられるようになっている。また、コンデンサ取付金具２は、足部１１に設けられた孔１１ａを貫通させたネジ１５をコンデンサ取付部材８の固定用孔６にねじ止めすることによって固定される。
【００１４】
コンデンサ取付部材８は、電解コンデンサ本体１を下面側から挿入するためのコンデンサ挿入孔９を有し、ベースプレート１４とは所定の間隔を空けて配置される。コンデンサ挿入孔９の一部は、コンデンサ取付金具２のべろ部３が配置されるべろ部導入溝７として切り欠かれている。べろ部導入溝７にべろ部３が配置されることにより、電解コンデンサ本体１の取付方向が一意に決定される。
【００１５】
図３に示すように、コンデンサ取付金具２のべろ部３がべろ部導入溝７から抜け出さずに留まる構造とすることにより、コンデンサ取付金具２の回転を防止する効果がある。これにより、べろ部３におけるネジ１２とナット１３との締結を容易に行える。
【００１６】
以上のように、本実施の形態においては、元々存在するコンデンサ取付金具のべろ部を利用してコネクタの向きを決めており、コンデンサ取付部の形状を変更するのみで極性誤取付防止効果が得られるため、コスト増加には繋がらない。さらに、取付作業段階で逆取付でないことを確認可能である。
【符号の説明】
【００１７】
１  電解コンデンサ本体
２  コンデンサ取付金具
３  べろ部
３ａ  貫通孔
４、５  接続端子
６  固定用孔
７  べろ部導入溝
８  コンデンサ取付部材
９  コンデンサ挿入孔
１０  帯状部
１１  足部
１２、１５  ネジ
１３  ナット
１４  ベースプレート
【図１】
0005425144.tif 000002
【図２】
0005425144.tif 000003
【図３】
0005425144.tif 000004